(57)【要約】【課題】特定のチャンネルについて、未契約でも番組宣伝のためにＥＰＧ情報をあえて表示したり、別の特定のチャンネルについては未契約の場合は表示しないというような、細かな制御をＥＰＧ送信側で行うことができない。【解決手段】ＥＰＧ制御情報記述子ヘッダと、ＥＰＧ制御情報記述子ヘッダに含まれる受信機ＩＤと、ＥＰＧ非表示対象のサービスＩＤとを一つの組として構成するＥＰＧ制御情報記述子を含む不正使用防止信号が自受信機のＥＰＧ制御情報記述子であるかをＥＰＧ制御情報記述子ヘッダおよび受信機ＩＤから判定し、自受信機のＥＰＧ制御情報記述子である場合、ＥＰＧ制御情報記述子に含まれるＥＰＧ非表示対象のサービスＩＤに基づき、ＥＰＧを表示する。【選択図】図１
2011228984.tif 000002
【特許請求の範囲】
【請求項１】
ＥＰＧを表示する表示部と、
ＥＰＧ制御情報記述子ヘッダと、前記ＥＰＧ制御情報記述子ヘッダに含まれる受信機ＩＤと、ＥＰＧ非表示対象のサービスＩＤとを一つの組として構成するＥＰＧ制御情報記述子を含む不正使用防止信号を受信する通信部と、
前記受信した不正使用防止信号が自受信機のＥＰＧ制御情報記述子であるかを前記ＥＰＧ制御情報記述子ヘッダおよび前記受信機ＩＤから判定し、自受信機のＥＰＧ制御情報記述子である場合、前記ＥＰＧ制御情報記述子に含まれる前記ＥＰＧ非表示対象のサービスＩＤを抽出する処理部と、
前記抽出したＥＰＧ非表示対象のサービスＩＤを保持する保持部と、を備え、
前記処理部は、前記保持部に保持するＥＰＧ非表示対象のサービスＩＤに基づき、前記表示部にＥＰＧを表示する
ことを特徴とするＥＰＧ制御情報受信機。
【請求項２】
受信機ＩＤとＥＰＧ非表示対象のサービスＩＤとを一つの組として保持する保持部と、
ＥＰＧ制御情報記述子ヘッダと、前記ＥＰＧ制御情報記述子ヘッダに含まれる前記受信機ＩＤと、前記ＥＰＧ非表示対象のサービスＩＤとから構成されるＥＰＧ制御情報記述子を含む不正使用防止信号を生成する処理部と、
前記不正使用防止信号を送信する通信部と、
からなるＥＰＧ制御情報送信機。
【請求項３】
ＥＰＧを表示する表示部と、
共通制御情報記述子ヘッダと、ＥＰＧ非表示制御に用いる制御領域番号と、前記共通制御情報記述子ヘッダに含まれる共通受信機ＩＤと、ＥＰＧ非表示対象のサービスＩＤと共通制御情報とを一つの組として構成する共通制御情報記述子を含む不正使用防止信号を受信する通信部と、
前記受信した不正使用防止信号が自受信機を含み且つＥＰＧ非表示制御に用いる共通制御情報記述子であるかを前記共通制御情報記述子に含まれる前記共通制御情報記述子ヘッダと前記制御領域番号と前記共通受信機ＩＤから判定し、自受信機を含み且つＥＰＧ非表示制御に用いる共通制御情報記述子である場合、前記共通制御情報記述子に含まれる前記ＥＰＧ非表示対象のサービスＩＤと前記共通制御情報とを抽出する処理部と、
前記抽出したＥＰＧ非表示対象のサービスＩＤと前記共通制御情報とを保持する保持部と、を備え、
前記処理部は、前記保持部に保持する前記ＥＰＧ非表示対象のサービスＩＤと前記共通制御情報に基づき、前記表示部にＥＰＧを表示することを特徴とするＥＰＧ制御情報受信機。
【請求項４】
前記不正使用防止信号は、さらに、
個別制御情報記述子ヘッダと、ＥＰＧ非表示制御に用いる制御領域番号と、前記個別制御情報記述子ヘッダに含まれる個別受信機ＩＤと、個別制御情報とを一つの組として構成する個別制御情報記述子を含み、
前記処理部は、
前記受信した不正使用防止信号が自受信機のＥＰＧ非表示制御に用いる個別制御情報記述子であるかを前記個別制御情報記述子に含まれる前記個別制御情報記述子ヘッダと前記制御領域番号と前記個別受信機ＩＤから判定し、自受信機のＥＰＧ非表示制御に用いる個別制御情報記述子である場合、前記個別制御情報記述子に含まれる前記個別制御情報を抽出し、
前記保持部は、前記抽出した個別制御情報を保持し、
前記処理部は、前記保持部に保持する前記ＥＰＧ非表示対象のサービスＩＤと前記個別制御情報に基づき、前記表示部にＥＰＧを表示することを特徴とする請求項３記載のＥＰＧ制御情報受信機。
【請求項５】
共通受信機ＩＤとＥＰＧ非表示対象のサービスＩＤと共通制御情報とを一つの組として保持する保持部と、
共通制御情報記述子ヘッダと、ＥＰＧ非表示制御に用いる制御領域番号と、前記共通制御情報記述子ヘッダに含まれる前記共通受信機ＩＤと、前記ＥＰＧ非表示対象のサービスＩＤと、共通制御情報とから構成される共通制御情報記述子を含む不正使用防止信号を生成する処理部と、
前記共通制御情報記述子を含む不正使用防止信号を送信する通信部と、
からなるＥＰＧ制御情報送信機。
【請求項６】
前記保持部は、
個別受信機ＩＤとＥＰＧ非表示対象のサービスＩＤと個別制御情報とを一つの組としてさらに保持し、
前記処理部は、
個別制御情報記述子ヘッダと、ＥＰＧ非表示制御に用いる制御領域番号と、前記個別制御情報記述子ヘッダに含まれる前記個別受信機ＩＤと、前記個別制御情報とからなる個別制御情報記述子を含む不正使用防止信号をさらに生成し、
前記通信部は、
前記個別制御情報記述子を含む不正使用防止信号をさらに送信する
ことを特徴とする請求項５記載のＥＰＧ制御情報送信機。
【請求項７】
サービスＩＤ毎にＥＰＧを表示または非表示いずれかにするための共通ＥＰＧ表示設定情報と、サービスＩＤ毎の視聴権情報と、受信機ＩＤ毎の視聴権情報とを保持する保持部と、
前記サービスＩＤ毎の視聴権情報と前記受信機ＩＤ毎の視聴権情報とから前記受信機ＩＤの前記サービスＩＤ毎の視聴権を算出し、前記受信機ＩＤの前記サービスＩＤ毎の視聴権と前記共通ＥＰＧ表示設定情報とから前記受信機ＩＤの前記サービスＩＤ毎の個別ＥＰＧ表示設定情報を算出する処理部と、
からなるＥＰＧ制御情報生成機。
【請求項８】
ＥＰＧ制御情報記述子ヘッダと、前記ＥＰＧ制御情報記述子ヘッダに含まれる受信機ＩＤと、ＥＰＧ非表示対象のサービスＩＤとを一つの組として構成するＥＰＧ制御情報記述子を含む不正使用防止信号を受信するステップと、
前記受信した不正使用防止信号が自受信機のＥＰＧ制御情報記述子であるかを前記ＥＰＧ制御情報記述子ヘッダと前記受信機ＩＤから判定し、自受信機のＥＰＧ制御情報記述子である場合、前記ＥＰＧ制御情報記述子に含まれる前記ＥＰＧ非表示対象のサービスＩＤを抽出するステップと、
前記抽出したＥＰＧ非表示対象のサービスＩＤを保持するステップと、
前記保持するＥＰＧ非表示対象のサービスＩＤに基づき、ＥＰＧを表示するステップと、
からなるＥＰＧ表示制御方法。
【請求項９】
共通制御情報記述子ヘッダと、ＥＰＧ非表示制御に用いる制御領域番号と、前記共通制御情報記述子ヘッダに含まれる共通受信機ＩＤと、ＥＰＧ非表示対象のサービスＩＤと、共通制御情報とを一つの組として構成する共通制御情報記述子を含む不正使用防止信号を受信するステップと、
前記受信した不正使用防止信号が自受信機を含み且つＥＰＧ非表示制御に用いる共通制御情報記述子であるかを前記共通制御情報記述子に含まれる前記共通制御情報記述子ヘッダと前記制御領域番号および前記共通受信機ＩＤから判定し、自受信機を含み且つＥＰＧ非表示制御に用いる共通制御情報記述子である場合、前記共通制御情報記述子に含まれる前記ＥＰＧ非表示対象のサービスＩＤと前記共通制御情報とを抽出するステップと、
前記抽出したＥＰＧ非表示対象のサービスＩＤと前記共通制御情報とを保持するステップと、
前記保持する前記ＥＰＧ非表示対象のサービスＩＤと前記共通制御情報に基づき、ＥＰＧを表示するステップと、
からなるＥＰＧ表示制御方法。
【請求項１０】
前記不正使用防止信号は、さらに、
個別制御情報記述子ヘッダと、ＥＰＧ非表示制御に用いる制御領域番号と、前記個別制御情報記述子ヘッダに含まれる個別受信機ＩＤと、個別制御情報とを一つの組として構成する個別制御情報記述子を含み、
前記抽出するステップは、
前記受信した不正使用防止信号が自受信機のＥＰＧ非表示制御に用いる個別制御情報記述子であるかを前記個別制御情報記述子に含まれる前記個別制御情報記述子ヘッダと前記制御領域番号および前記個別受信機ＩＤから判定し、自受信機のＥＰＧ非表示制御に用いる個別制御記情報述子である場合、前記個別制御情報記述子に含まれる前記個別制御情報を抽出するステップを含み、
前記保持するステップは、前記抽出した個別制御情報を保持するステップを含み、
前記ＥＰＧを表示するステップは、前記保持する前記ＥＰＧ非表示対象のサービスＩＤと前記共通制御情報に基づきＥＰＧを表示することに代えて、前記保持する前記ＥＰＧ非表示対象のサービスＩＤと前記個別制御情報に基づき、前記表示部にＥＰＧを表示することを特徴とする請求項９記載のＥＰＧ表示制御方法。
【発明の詳細な説明】
【技術分野】
【０００１】
本発明はＣＡＴＶ（ケーブルＴＶ）などの多チャンネルデジタル放送におけるＥＰＧ（電子番組ガイド）の表示制御技術に関するものである。
【背景技術】
【０００２】
近年、デジタル放送の一般化、多チャンネル化、ハイビジョン（高解像度）放送チャンネルの増加により、ＥＰＧの重要性がますます認識されている。ＥＰＧを利用した番組視聴、番組録画予約、番組検索、出演者やあらすじなどの番組詳細情報の確認が一般的に行われている。特にＣＡＴＶにおいては、地上デジタル放送、ＢＳデジタル放送の他、百数十チャンネルのＣＳ多チャンネル放送、自主放送の他、番組単位で購入するＰＰＶ（ペイパービュー）放送など、多彩な放送が多数行われており、そのため契約形態も基本的なチャンネルをパックしたベーシック契約の他に、さらに複数の有料チャンネルをパックしたプレミヤ契約や、追加契約として個別の有料番組を契約できるように多様化している。さらに近年ハイビジョン放送チャンネルの増加により、同一番組内容の放送が別チャンネルで行われており、これらの放送に対応したＥＰＧ表示も複雑かつ煩雑になっている。
【０００３】
図１０は、ＣＳ（通信衛星）・自主、ＢＳ（放送衛星）、地上デジタル放送の再送信を行うＣＡＴＶ放送システムを表す構成図である。
【０００４】
ＣＳ・自主放送のＥＰＧ情報は、放送番組構成に合わせて１週間の番組情報として番組サーバ１で生成され、制御装置２を経由しＥＰＧ生成装置３に送信される。ＥＰＧ生成装置３では、放送信号伝送フォーマットに変換し、ＭＵＸ／ＳＣＲ／ＱＡＭ装置５に送信される。ＭＵＸは多重化装置、ＳＣＲはスクランブル装置、ＱＡＭは６４ＱＡＭ変調装置の略称である。なお、本例では、ＭＵＸ、ＳＣＲ、ＱＡＭを１つの装置としているが個別の装置で構成しても良い。
【０００５】
また、ＣＳ・自主放送信号の加入者ごとの限定受信制御は、加入者の契約情報を管理する加入者管理装置７からの制御信号を、制御装置２を経由し限定受信装置８で、放送信号伝送フォーマットに変換し、ＭＵＸ／ＳＣＲ／ＱＡＭ装置５に送信する。ＭＵＸ／ＳＣＲ／ＱＡＭ装置５において、ＣＳ放送受信装置４−１で受信した映像音声信号および自主放送信号送出装置４−２から出力される自主放送用映像音声信号に、ＥＰＧ生成装置３で生成したＥＰＧ信号と、限定受信装置８で生成した限定受信信号を多重し、限定受信のためのスクランブル（暗号化）を行い、６４ＱＡＭ変換してＭＩＸ（混合器）６を経由して、ＣＡＴＶ伝送路１２に送信する。
【０００６】
ＢＳ放送信号については、該ＢＳ放送をＢＳ−ＨＥ（デッドエンド）装置１０で受信し、加入者管理装置７からの制御信号を元に制御装置２を経由し不正使用防止装置９で生成する不正使用防止信号をＢＳ−ＨＥ装置１０で掲載し、ＭＩＸ６で混合してＣＡＴＶ伝送路１２に送出する。
【０００７】
また、地上デジタル放送信号については、該地上デジタル放送信号を地上デジタルＨＥ（デッドエンド）装置１１で受信し、同様にＭＩＸ６で混合してＣＡＴＶ伝送路１２に送出する。
【０００８】
ＣＡＴＶの加入者は、リモコン２２を操作し、デジタル放送受信機２０で受信した放送信号をＴＶモニタ２１に表示して視聴する。放送信号にはＥＰＧ信号が多重されているので、リモコン２２の操作により、デジタル放送受信機２０は１週間分のＥＰＧを表示することができる。ＥＰＧで表示される番組情報を選択することにより、該当番組の視聴または録画予約、番組詳細情報の参照などを行うことができる。
【０００９】
ＥＰＧ情報は、共通情報として生成し送出しているため、契約者個別の契約形態に合わせた契約チャネルだけを表示するということはできず、未契約のチャネル含め放送を行っている全てのサービスのＥＰＧ情報が表示される。
【００１０】
ここで１から１１までがＣＡＴＶ局に設置されるヘッドエンド装置であり、デジタル放送受信機２０、ＴＶモニタ２１およびリモコン２２は加入者宅に設置される。
【００１１】
次に、図１１のデジタル放送受信機の構成図を用いて、デジタル放送受信機２０の動作を説明する。
【００１２】
ＣＡＴＶ伝送路１２から受信した放送信号の内、リモコン２２で指示された受信ネットワーク（ＣＳ・自主放送、ＢＳ放送および地上デジタル放送の内の一つ）の選局チャンネル（サービス）の放送信号を信号処理部２０−２で処理する。ＣＳ・自主放送がリモコン２２で指示されている場合、処理部２０−４は、ＣＳ・自主放送信号に掲載されている視聴情報を限定受信カード２０−５で照合し、視聴権がある場合は、限定受信カード２０−５から返信されるデコード（復号）キーを元に表示部２０−３でデスクランブル（復号化）を行い、ＴＶモニタ２１に表示する。ＢＳ放送がリモコン２２で指示されている場合、処理部２０−４は、ＢＳ放送信号に掲載されている不正使用防止信号の受信機ＩＤを判別し、保持部２０−６に保持する自受信機ＩＤと同一の場合は、不正使用防止信号の制御内容に従い不正使用防止処理を行う。処理部２０−４はリモコン２２のＥＰＧ表示指示を受信部２０−７経由で受信すると、放送信号から抽出したＥＰＧ情報を表示する。
【００１３】
次に、図１２の制御装置の構成図および図１３の制御装置が保持するデータ構成図を用いて、ＣＳ・自主放送信号の限定受信とＢＳ不正使用防止機能の動作について、より詳細に説明する。
【００１４】
制御装置２には、サービス設定の画面があり、この画面からサービス開始前に、放送を行うサービスの登録を行う。図１２のサーバ２−１の処理部２−３は、表示部２−５を経由し接続されたモニタ２−６にサービス設定画面を表示し、設定情報を保持部２−４に保持する。
【００１５】
図１３は制御装置２が保持するデータ構成を示し、（１）はサービスを特定するサービスＩＤと各サービスＩＤの視聴権情報であるティア情報を格納する設定例である。以降の説明において、テーブル内の値は（行、列）の形式で表現するものとする。
【００１６】
図１３（１）において、列Ｃ１１は設定されたサービスＩＤを表し、行Ｒ１１からＲ１６に示す各行は設定されたサービスＩＤを表す。また、列Ｃ１２は各サービスＩＤに対して設定されたティア情報を表す。例えば（Ｒ１１、Ｃ１１）はサービスＩＤ＝１０１が設定されており、サービスＩＤ＝１０１のティア情報は、「１（２進数で０００１）」と「４（２進数で０１００）」が設定されている（Ｒ１１、Ｃ１２）。同様に、（Ｒ１４、Ｃ１１）はサービスＩＤ＝２０１が設定されており、サービスＩＤ＝２０１のティア情報は、「２（００１０）」と「４（０１００）」が設定されている（Ｒ１４、Ｃ１２）。図１３（１）の各サービスＩＤに対するティア情報Ｃ１２は図１０の限定受信装置８で加算されてサービス共通情報であるＥＣＭ（エンタイトルメント・コントロール・メッセージ）に掲載されてＭＵＸ／ＳＣＲ／ＱＡＭ装置５、ＭＩＸ６を経由し、ＣＡＴＶ放送路１２に送出される。すなわち、サービスＩＤ＝１０１の場合は、ティア情報の「１（０００１）」と「４（０１００）」が加算された「５（０１０１）」の情報が送出される。同様に、サービスＩＤ＝２０１の場合は、ティア情報の「２（００１０）」と「４（０１００）」が加算された「６（０１１０）」の情報が送出される。
【００１７】
一方、デジタル放送受信機個別のＣＳ・自主放送の視聴権情報とＢＳ不正使用防止機能の設定情報は、図１０の加入者管理装置７からネットワークを経由し、図１２の制御装置２の通信部２−２が受信し、処理部２−３が処理し、保持部２−４に保持する。
【００１８】
図１３（２）はデジタル放送受信機を特定する受信機ＩＤと各受信機ＩＤのＣＳ・自主放送の視聴権情報である受信機ティア情報およびＢＳ不正使用防止機能の設定情報であるＢＳ個別情報（視聴可否情報）を格納する設定例である。
【００１９】
例えば、（Ｒ２１、Ｃ２１）の受信機ＩＤには００１１が登録されており、該当する受信機ティア情報＝１(２進数で０００１)（Ｒ２１、Ｃ２２）、ＢＳ個別情報（視聴可否情報）＝１（視聴可）（Ｒ２１、Ｃ２３）が設定されている。図１３（２）の各受信機ＩＤ  Ｃ２１に対する受信機ティア情報Ｃ２２は図１０の限定受信装置８からデジタル放送受信機個別の情報であるＥＭＭ（エンタイトルメント・マネジメント・メッセージ）に掲載されてＭＵＸ／ＳＣＲ／ＱＡＭ装置５、ＭＩＸ６を経由し、ＣＡＴＶ放送路１２に送出される。ＢＳ個別情報（視聴可否情報）Ｃ２３はＥＭＭに掲載されて、図１０の不正使用防止装置９、ＢＳ−ＨＥ装置１０を経由しＭＩＸ６からＣＡＴＶ放送路１２に送出される。
【００２０】
ＣＳ・自主放送に関して、デジタル放送受信機２０は、受信しているサービスの放送波に掲載されているＥＣＭからティア情報を抽出する。サービスＩＤが１０１を受信している場合は、ティア情報はティア「１（０００１）」と「４（０１００）」の加算情報である「５（０１０１）」を抽出する。デジタル放送受信機２０は、事前に受信したＥＭＭから受信機ティア情報を抽出しており、受信機ＩＤ＝００１１の場合は前述のように「１（０００１）」を抽出する。ＥＣＭから抽出したティア情報とＥＭＭから抽出した受信機ティア情報を比較し、ＥＭＭから抽出した受信機ティア情報がＥＣＭから抽出したティア情報に含まれていれば視聴権があるとする。前記例では、ＥＣＭから抽出したティア情報が「５（０１０１）」であり、ＥＭＭから抽出した受信機ティア情報が「１（０００１）」であるので、受信機ティア情報の「１（０００１）」に該当するビット（２進数の１ビット目）が有効なのでサービスＩＤ＝１０１は視聴権があると判断する。
【００２１】
ＢＳ放送に関して、デジタル放送受信機２０は、ＢＳ不正使用防止信号（ＥＭＭ）の個別制御情報記述子からＢＳ個別情報（視聴可否情報）を抽出し、制御情報の値によってＢＳ不正使用防止機能を制御する。受信機ＩＤ＝００１１の場合、ＢＳ個別情報（視聴可否情報）＝１を抽出するので、ＢＳ視聴を許可する。なお、ＢＳデジタル放送における不正使用防止機能については非特許文献１に記載されている。
【００２２】
ところで、受信できないまたは未契約のチャンネルが選択されないようにしたＥＰＧ機能を備えたデジタル放送受信機についての提案が特許文献１に開示されている。
【先行技術文献】
【特許文献】
【００２３】
【特許文献１】特開２００２−２５２８１７号公報
【非特許文献】
【００２４】
【非特許文献１】ＪＣＬ  ＳＰＥＣ−００１−０１
【発明の概要】
【発明が解決しようとする課題】
【００２５】
しかしながら、上記の提案では、特定のチャンネルについては未契約でもＥＰＧ情報をあえて表示し加入者がその情報を見ることで視聴を希望し追加契約を行わせるという番組宣伝を行ったり、別の特定の（例えばアダルト）チャンネルについては未契約の場合は表示することが好ましくないため表示しないというような、細かな制御をＥＰＧ送信側で行うことができないという課題があった。
【００２６】
また、受信可能かどうかの確認をデジタル放送受信機で行う必要があり、多い局では百数十サービスにもなるチャンネルについて、受信確認を行うと受信処理に時間がかかるため、ネットワーク切替えのたびに行ってもＥＰＧ表示に時間がかかり、使い勝手が悪いという課題があった。
【００２７】
また、視聴中にサービスの契約追加変更を行っても、放送受信機では該当チャンネルを受信しないと視聴可能かどうか分からないため、該当チャンネルを受信するまで追加変更したチャンネルのＥＰＧが表示されないままになるという課題があった。
【課題を解決するための手段】
【００２８】
前記従来の課題を解決するために、本発明のＥＰＧ制御情報受信機は、ＥＰＧを表示する表示部と、ＥＰＧ制御情報記述子ヘッダと、前記ＥＰＧ制御情報記述子ヘッダに含まれる受信機ＩＤと、ＥＰＧ非表示対象のサービスＩＤとを一つの組として構成するＥＰＧ制御情報記述子を含む不正使用防止信号を受信する通信部と、前記受信した不正使用防止信号が自受信機のＥＰＧ制御情報記述子であるかを前記ＥＰＧ制御情報記述子ヘッダおよび前記受信機ＩＤから判定し、自受信機のＥＰＧ制御情報記述子である場合、前記ＥＰＧ制御情報記述子に含まれる前記ＥＰＧ非表示対象のサービスＩＤを抽出する処理部と、前記抽出したＥＰＧ非表示対象のサービスＩＤを保持する保持部と、を備え、前記処理部は、前記保持部に保持するＥＰＧ非表示対象のサービスＩＤに基づき、前記表示部にＥＰＧを表示することを特徴とする。
【００２９】
また、本発明のＥＰＧ制御情報送信機は、受信機ＩＤとＥＰＧ非表示対象のサービスＩＤとを一つの組として保持する保持部と、ＥＰＧ制御情報記述子ヘッダと、前記ＥＰＧ制御情報記述子ヘッダに含まれる前記受信機ＩＤと、前記ＥＰＧ非表示対象のサービスＩＤとから構成されるＥＰＧ制御情報記述子を含む不正使用防止信号を生成する処理部と、前記不正使用防止信号を送信する通信部と、からなる。
【００３０】
また、本発明のＥＰＧ制御情報受信機は、ＥＰＧを表示する表示部と、共通制御情報記述子ヘッダと、ＥＰＧ非表示制御に用いる制御領域番号と、前記共通制御情報記述子ヘッダに含まれる共通受信機ＩＤと、ＥＰＧ非表示対象のサービスＩＤと共通制御情報とを一つの組として構成する共通制御情報記述子を含む不正使用防止信号を受信する通信部と、前記受信した不正使用防止信号が自受信機を含み且つＥＰＧ非表示制御に用いる共通制御情報記述子であるかを前記共通制御情報記述子に含まれる前記共通制御情報記述子ヘッダと前記制御領域番号と前記共通受信機ＩＤから判定し、自受信機を含み且つＥＰＧ非表示制御に用いる共通制御情報記述子である場合、前記共通制御情報記述子に含まれる前記ＥＰＧ非表示対象のサービスＩＤと前記共通制御情報とを抽出する処理部と、前記抽出したＥＰＧ非表示対象のサービスＩＤと前記共通制御情報とを保持する保持部と、を備え、前記処理部は、前記保持部に保持する前記ＥＰＧ非表示対象のサービスＩＤと前記共通制御情報に基づき、前記表示部にＥＰＧを表示することを特徴とする。
【００３１】
また、前記不正使用防止信号は、さらに、個別制御情報記述子ヘッダと、ＥＰＧ非表示制御に用いる制御領域番号と、前記個別制御情報記述子ヘッダに含まれる個別受信機ＩＤと、個別制御情報とを一つの組として構成する個別制御情報記述子を含み、前記処理部は、前記受信した不正使用防止信号が自受信機のＥＰＧ非表示制御に用いる個別制御情報記述子であるかを前記個別制御情報記述子に含まれる前記個別制御情報記述子ヘッダと前記制御領域番号と前記個別受信機ＩＤから判定し、自受信機のＥＰＧ非表示制御に用いる個別制御情報記述子である場合、前記個別制御情報記述子に含まれる前記個別制御情報を抽出し、前記保持部は、前記抽出した個別制御情報を保持し、前記処理部は、前記保持部に保持する前記ＥＰＧ非表示対象のサービスＩＤと前記個別制御情報に基づき、前記表示部にＥＰＧを表示することを特徴とする。
【００３２】
また、本発明のＥＰＧ制御情報送信機は、共通受信機ＩＤとＥＰＧ非表示対象のサービスＩＤと共通制御情報とを一つの組として保持する保持部と、共通制御情報記述子ヘッダと、ＥＰＧ非表示制御に用いる制御領域番号と、前記共通制御情報記述子ヘッダに含まれる前記共通受信機ＩＤと、前記ＥＰＧ非表示対象のサービスＩＤと、共通制御情報とから構成される共通制御情報記述子を含む不正使用防止信号を生成する処理部と、前記共通制御情報記述子を含む不正使用防止信号を送信する通信部と、からなる。
【００３３】
また、前記保持部は、個別受信機ＩＤとＥＰＧ非表示対象のサービスＩＤと個別制御情報とを一つの組としてさらに保持し、前記処理部は、個別制御情報記述子ヘッダと、ＥＰＧ非表示制御に用いる制御領域番号と、前記個別制御情報記述子ヘッダに含まれる前記個別受信機ＩＤと、前記個別制御情報とからなる個別制御情報記述子を含む不正使用防止信号をさらに生成し、前記通信部は、前記個別制御情報記述子を含む不正使用防止信号をさらに送信することを特徴とする。
【００３４】
また、本発明のＥＰＧ表示制御方法は、ＥＰＧ制御情報記述子ヘッダと、前記ＥＰＧ制御情報記述子ヘッダに含まれる受信機ＩＤと、ＥＰＧ非表示対象のサービスＩＤとを一つの組として構成するＥＰＧ制御情報記述子を含む不正使用防止信号を受信するステップと、前記受信した不正使用防止信号が自受信機のＥＰＧ制御情報記述子であるかを前記ＥＰＧ制御情報記述子ヘッダと前記受信機ＩＤから判定し、自受信機のＥＰＧ制御情報記述子である場合、前記ＥＰＧ制御情報記述子に含まれる前記ＥＰＧ非表示対象のサービスＩＤを抽出するステップと、前記抽出したＥＰＧ非表示対象のサービスＩＤを保持するステップと、前記保持するＥＰＧ非表示対象のサービスＩＤに基づき、ＥＰＧを表示するステップと、からなる。
【００３５】
また、本発明のＥＰＧ表示制御方法は、共通制御情報記述子ヘッダと、ＥＰＧ非表示制御に用いる制御領域番号と、前記共通制御情報記述子ヘッダに含まれる共通受信機ＩＤと、ＥＰＧ非表示対象のサービスＩＤと、共通制御情報とを一つの組として構成する共通制御情報記述子を含む不正使用防止信号を受信するステップと、前記受信した不正使用防止信号が自受信機を含み且つＥＰＧ非表示制御に用いる共通制御情報記述子であるかを前記共通制御情報記述子に含まれる前記共通制御情報記述子ヘッダと前記制御領域番号および前記共通受信機ＩＤから判定し、自受信機を含み且つＥＰＧ非表示制御に用いる共通制御情報記述子である場合、前記共通制御情報記述子に含まれる前記ＥＰＧ非表示対象のサービスＩＤと前記共通制御情報とを抽出するステップと、前記抽出したＥＰＧ非表示対象のサービスＩＤと前記共通制御情報とを保持するステップと、前記保持する前記ＥＰＧ非表示対象のサービスＩＤと前記共通制御情報に基づき、ＥＰＧを表示するステップと、からなる。
【００３６】
また、前記不正使用防止信号は、さらに、個別制御情報記述子ヘッダと、ＥＰＧ非表示制御に用いる制御領域番号と、前記個別制御情報記述子ヘッダに含まれる個別受信機ＩＤと、個別制御情報とを一つの組として構成する個別制御情報記述子を含み、前記抽出するステップは、前記受信した不正使用防止信号が自受信機のＥＰＧ非表示制御に用いる個別制御情報記述子であるかを前記個別制御情報記述子に含まれる前記個別制御情報記述子ヘッダと前記制御領域番号および前記個別受信機ＩＤから判定し、自受信機のＥＰＧ非表示制御に用いる個別制御記情報述子である場合、前記個別制御情報記述子に含まれる前記個別制御情報を抽出するステップを含み、前記保持するステップは、前記抽出した個別制御情報を保持するステップを含み、前記ＥＰＧを表示するステップは、前記保持する前記ＥＰＧ非表示対象のサービスＩＤと前記共通制御情報に基づきＥＰＧを表示することに代えて、前記保持する前記ＥＰＧ非表示対象のサービスＩＤと前記個別制御情報に基づき、前記表示部にＥＰＧを表示することを特徴とする。
【００３７】
また、本発明のＥＰＧ制御情報生成機は、サービスＩＤ毎にＥＰＧを表示または非表示いずれかにするための共通ＥＰＧ表示設定情報と、サービスＩＤ毎の視聴権情報と、受信機ＩＤ毎の視聴権情報とを保持する保持部と、前記サービスＩＤ毎の視聴権情報と前記受信機ＩＤ毎の視聴権情報とから前記受信機ＩＤの前記サービスＩＤ毎の視聴権を算出し、前記受信機ＩＤの前記サービスＩＤ毎の視聴権と前記共通ＥＰＧ表示設定情報とから前記受信機ＩＤの前記サービスＩＤ毎の個別ＥＰＧ表示設定情報を算出する処理部と、からなる。
【００３８】
以上、本発明のＥＰＧ制御情報受信機、ＥＰＧ制御情報送信機、ＥＰＧ表示制御方法およびＥＰＧ制御情報生成機によれば、特定のチャンネルについては未契約でもＥＰＧ情報をあえて表示し加入者がその情報を見ることで視聴を希望し追加契約を行わせるという番組宣伝を行ったり、別の特定の（例えばアダルト）チャンネルについては未契約の場合は表示することが好ましくないため表示しないというような、細かな制御をＥＰＧ送信側で行うことができる。
【００３９】
また、多い局では百数十サービスにもなるチャンネルについて、受信可能かどうかの確認をデジタル放送受信機で行う必要がなく受信確認を行うと受信処理に時間がかかるということがないため、ネットワーク切替時でもＥＰＧ表示に時間がかかるということがなく使い勝手が悪くなるということがない。
【００４０】
また、視聴中にサービスの契約追加変更を行っても、放送受信機では該当チャンネルを受信せずに、追加変更したチャンネルのＥＰＧ表示を即時に更新することができる。
【発明の効果】
【００４１】
本発明のＥＰＧ制御情報受信機、ＥＰＧ制御情報送信機、ＥＰＧ表示制御方法およびＥＰＧ制御情報生成機によれば、特定のチャンネルについては未契約でもＥＰＧ情報をあえて表示し加入者がその情報を見ることで視聴を希望し追加契約を行わせるという番組宣伝を行ったり、別の特定の（例えばアダルト）チャンネルについては未契約の場合は表示することが好ましくないため表示しないというような、細かな制御をＥＰＧ送信側で行うことができる。
【００４２】
また、多い局では百数十サービスにもなるチャンネルについて、受信可能かどうかの確認をデジタル放送受信機で行う必要がなく受信確認を行うと受信処理に時間がかかるということがないため、ネットワーク切替え時でもＥＰＧ表示に時間がかかるということがなく使い勝手が悪くなるということがない。
【００４３】
また、視聴中にサービスの契約追加変更を行っても、放送受信機では該当チャンネルを受信せずに、追加変更したチャンネルのＥＰＧ表示を即時に更新することができる。
【図面の簡単な説明】
【００４４】
【図１】本発明の実施例１における不正使用防止信号のＥＰＧ制御情報記述子のデータ構成図
【図２】本発明の実施例２における不正使用防止信号の（１）共通制御情報記述子および（２）個別制御情報記述子のデータ構成図
【図３】本発明の実施例１におけるデジタル放送受信機の不正使用防止信号（ＥＰＧ制御情報記述子）受信時の処理フロー図
【図４】本発明の実施例２におけるデジタル放送受信機の不正使用防止信号（共通制御情報記述子および個別制御情報記述子）受信時の処理フロー図
【図５】本発明の実施例１における不正使用防止信号（ＥＰＧ制御情報記述子）のデータ構成図のデータ例を示す図
【図６】本発明の実施例２における不正使用防止信号の（１）共通制御情報記述子および（２）個別制御情報記述子のデータ構成図のデータ例を示す図
【図７】本発明の実施例１における制御装置が保持する不正使用防止信号（ＥＰＧ制御情報記述子）作成のためのデータ構成図
【図８】本発明の実施例２における制御装置が保持する不正使用防止信号の（１）共通制御情報記述子および（２）個別制御情報記述子作成のためのデータ構成図
【図９】本発明の実施例３における制御装置が保持する不正使用防止信号作成のための別の構成によるデータ構成図
【図１０】ＣＡＴＶ放送システムの構成図
【図１１】デジタル放送受信機の構成図
【図１２】制御装置の構成図
【図１３】従来の制御装置が保持する（１）サービスＩＤと各サービスＩＤの視聴権情報であるティア情報を格納する設定例（２）受信機ＩＤと各受信機ＩＤのＣＳ・自主放送の視聴権情報である受信機ティア情報およびＢＳ不正使用防止機能の設定情報であるＢＳ個別情報（視聴可否情報）を格納する設定例を示すデータ構成図
【発明を実施するための形態】
【００４５】
以下、本発明を実施するための形態について、図面を参照しながら説明する。
【実施例１】
【００４６】
図１は、本発明における不正使用防止信号のＥＰＧ制御情報記述子のデータ構成図であり、図５はデータ例である。
【００４７】
図１において、１００はＥＰＧ制御情報記述子ヘッダを表し、デジタル放送受信機毎の固有のＩＤである受信機ＩＤを含んでいる。ＥＰＧ制御情報記述子には、ＥＰＧ制御情報記述子ヘッダ１００に続いて、ＥＰＧを非表示とする制御対象のＮＷ（ネットワーク）数１１０に対して、ＮＷ識別１２０、ＥＰＧを非表示とするサービスＩＤの数を指定する管理制御数１３０、管理制御数１３０に相当しＥＰＧを非表示とするサービスＩＤを識別する複数のサービス識別１４０が記載される。ＮＷ識別以下は、ＮＷ数分繰り返される。ＮＷ数は「１」以上の数である。例えば、対象ネットワークがＣＳ・自主放送のみの場合は、ＮＷ数は「１」が設定され、ＮＷ識別には、ＣＳ・自主放送を示す「０ｘＦＦＦＥ」が設定される。
【００４８】
図５において、ＥＰＧ制御情報記述子ヘッダ１００に含まれる受信機ＩＤを有するデジタル放送受信機に対して、ＥＰＧを非表示とするサービスＩＤがＣＳ・自主放送の「２０１」、「２０２」、「２０３」・・・の場合、ＮＷ数１１０＝１、ＮＷ識別１２０＝０ｘＦＦＦＥ（ＣＳ・自主放送）、サービス識別１４０には、順にＥＰＧを非表示とするサービスＩＤ「２０１」１４０−１、「２０２」１４０−２、「２０２」１４０−３・・・が設定される。管理制御数１３０はサービス識別１４０の数が設定される。
【００４９】
次に、さらに図１１のデジタル放送受信機の構成図、図３の本発明の実施例１におけるデジタル放送受信機の不正使用防止信号（ＥＰＧ制御情報記述子）受信時の処理フロー図を用いて、ＥＰＧ制御情報記述子のデジタル放送受信機２０における処理について説明する。
【００５０】
図３において、不正使用防止信号を受信する処理ステップＳ３０２および受信機ＩＤ判別の処理ステップＳ３０３は従来と同様である。図１１の処理部２０−４は受信機ＩＤが当該受信機ＩＤである場合、制御情報記述子判別を行い（ステップＳ３０４）、制御情報記述子ヘッダが図１のＥＰＧ制御情報記述子ヘッダ１００である場合、ＥＰＧ制御情報記述子のＮＷ数１１０を読み取り（ステップＳ３０５）、ＥＰＧ制御情報記述子のＮＷ識別１２０、管理制御数１３０を読み取り、以降に続くサービス識別１４０を管理制御数１３０分読み出し、図１１の保持部２０−６に保持する（ステップＳ３０６）。次に、処理部２０−４は保持したＮＷ識別１２０のサービス識別１４０に対して、ＥＰＧ表示を非表示とする処理を実施する（ステップＳ３０７）。ＮＷ数分の処理が終われば（ステップＳ３０５）、処理を終了する（ステップＳ３０９）。ステップＳ３０４において、制御情報記述子ヘッダがＥＰＧ制御情報記述子ヘッダ以外の制御情報記述子ヘッダの場合は、その他の不正使用防止処理を行う（ステップＳ３０８）。ステップＳ３０３において受信機ＩＤがデジタル放送受信機２０自身の受信機ＩＤでない場合は、処理を終了する（ステップＳ３０９）。
【００５１】
なお、ＥＰＧ制御情報記述子のデジタル放送受信機２０における処理において、制御情報記述子判別（ステップＳ３０４）に先立って受信機ＩＤ判別（ステップＳ３０３）を行うこととしたが、これに限定されず、またその他のステップにおいても本発明の趣旨を変更しない限りにおいて、適宜変更可能である。
【００５２】
次に図１０のＣＡＴＶ放送システムの構成図、図１２の制御装置の構成図および図７の本発明の実施例１における制御装置が保持する不正使用防止信号（ＥＰＧ制御情報記述子）作成のためのデータ構成図を用いて、ヘッドエンド装置から図１のＥＰＧ制御情報記述子が送出されるしくみを説明する。
【００５３】
図１０の加入者管理装置７から各デジタル放送受信機について、契約形態に合わせて、ＥＰＧを非表示とするネットワークのサービスＩＤを制御装置２に送信する。図１２の制御装置２の処理部２−３では、送信されたＥＰＧを非表示とするネットワークのサービスＩＤを各デジタル放送受信機の受信機ＩＤごとに保持部２−４に保持する。
【００５４】
図７において、受信機ＩＤごとにＥＰＧを非表示とするネットワークのＥＰＧ非表示サービスＩＤが保持される。Ｒ３１行は受信機ＩＤを示し、各受信機ＩＤに対して設定されたＥＰＧ非表示サービスＩＤに該当するサービス識別がその受信機ＩＤと同じ列の下の行に保持される。例えば、受信機ＩＤ＝００１１（Ｒ３１、Ｃ３１）の場合、ＥＰＧ非表示サービスＩＤは、２０１（Ｒ３２、Ｃ３１）、２０２（Ｒ３３、Ｃ３１）、２０３（Ｒ３４、Ｃ３１）・・・となる。
【００５５】
次に、図１２の制御装置２の処理部２−３は、各受信機ＩＤに対するＥＰＧ制御情報記述子として、保持部２−４に保持した受信機ＩＤごとに設定されたＥＰＧ非表示サービスＩＤを不正使用防止装置９に送信する。
【００５６】
例えば、前記の例であれば、受信機ＩＤ＝００１１に対して、ＥＰＧ制御情報記述子として、ＥＰＧ非表示サービスＩＤ＝２０１、２０２、２０３・・・を送信する。図１０の不正使用防止装置９では、図１記載のＥＰＧ制御情報記述子を構成し、ＥＰＧ非表示サービスＩＤをサービス識別１４０に記載して、不正使用防止信号として送出する。先の例では、図５が送出されるＥＰＧ制御情報記述子の構成である。
【００５７】
なお、ＥＰＧ制御情報記述子による不正使用防止信号は、不正使用防止信号としてスケジュールされた送信と即時送信の両方に用いることができる。
【実施例２】
【００５８】
図２は、本発明の実施例２における不正使用防止信号の（１）共通制御情報記述子および（２）個別制御情報記述子のデータ構成図であり、図６はデータ例である。
【００５９】
図２（１）において、２００は共通制御情報記述子ヘッダを表し、共通制御の対象となるデジタル放送受信機共通のＩＤである共通受信機ＩＤを含んでいる。共通制御情報記述子は、共通制御情報記述子ヘッダ２００に続いて、制御領域番号２１０、ＮＷ（ネットワーク）識別１２０、制御論理ストリーム識別２３０、管理制御数１３０、サービス識別１４０、表示制御情報２４０（共通制御情報）が記載される。制御領域番号２１０については、あらかじめＥＰＧ非表示制御に用いる制御領域番号を決めておき、その値を設定する。ＮＷ識別１２０については、例えばＣＳ・自主放送の場合、０ｘＦＦＦＥを挿入し、制御論理ストリーム識別２３０についてはサービスＩＤ単位に該当する値０ｘ０２を挿入する。サービス識別１４０には、ＥＰＧ非表示サービスＩＤを管理制御数１３０分複数挿入する。表示制御情報２４０（共通制御情報）には、サービス識別１４０に挿入されたＥＰＧ非表示とするサービスＩＤの並びに対して、該当受信機ＩＤ共通のＥＰＧ表示／非表示の設定情報を挿入する。
【００６０】
図６（１）において、ＮＷ識別１２０については例えばＣＳ・自主放送の場合として０ｘＦＦＦＥ、制御論理ストリーム識別２３０についてはサービスＩＤ単位に該当する０ｘ０２、ＥＰＧ非表示サービスＩＤとして、サービス識別１４０−１にサービスＩＤ＝２０１、サービス識別１４０−２にサービスＩＤ＝２０２、サービス識別１４０−３にサービスＩＤ＝２０３・・・が挿入されている。また、表示制御情報２４０（共通制御情報）として「１１１・・・」が挿入されている。これは、サービス識別（ＥＰＧ非表示サービスＩＤ）１４０−１＝２０１、１４０−２＝２０２、１４０−３＝２０３・・・に対するＥＰＧ表示可否を表し、サービスＩＤ＝２０１、２０２、２０３・・・のサービスについて、表示制御情報２４０（共通制御情報）＝１１１・・・すなわち、「表示」の設定であることを表している。
【００６１】
次に、図２（２）において、２５０は個別制御情報記述子ヘッダを表し、デジタル放送受信機毎の固有のＩＤである個別受信機ＩＤを含んでいる。個別制御情報記述子は、個別制御情報記述子ヘッダ２５０に続いて、制御領域番号２１０、管理制御数１３０、表示制御情報２６０（個別制御情報）が記載される。制御領域番号２１０については、共通制御情報記述子と同様あらかじめ定めたＥＰＧ非表示制御に用いる制御領域番号を設定する。管理制御数１３０は、図２（１）の共通制御情報記述子の管理制御数１３０で設定された値と同一である。表示制御情報２６０（個別制御情報）には、図２（１）の共通制御情報記述子のサービス識別１４０で設定したＥＰＧ非表示とするサービスＩＤの並びに対して、該当受信機ＩＤ個別のＥＰＧ表示／非表示の設定情報を設定する。
【００６２】
図６（２）において、個別制御情報記述子の表示制御情報２６０（個別制御情報）には、「０００・・・」が設定されている。これは、図６（１）に示す共通制御情報記述子のサービス識別（ＥＰＧ非表示サービスＩＤ）１４０−１＝２０１、１４０−２＝２０２、１４０−３＝２０３・・・に対するＥＰＧ表示可否を表し、サービスＩＤ＝２０１、２０２、２０３・・・のサービスについて、表示制御情報２６０＝０００・・・すなわち、「非表示」の設定であることを表している。なお、表示制御情報２６０（個別制御情報）＝１００・・・であれば、ＥＰＧ非表示サービスＩＤ＝２０１、２０２、２０３・・・について、当該受信機ＩＤのデジタル放送受信機は順に「表示」、「非表示」、「非表示」・・・となる。
【００６３】
次に、図１１のデジタル放送受信機の構成図、図４の本発明の実施例２におけるデジタル放送受信機の不正使用防止信号（共通制御情報記述子および個別制御情報記述子）受信時の処理フロー図を用いて、共通制御情報記述子および個別制御情報記述子のデジタル放送受信機２０における処理について説明する。
【００６４】
図４において、不正使用防止信号を受信する処理ステップＳ４０２および受信機ＩＤ判別の処理ステップＳ４０３は従来と同様である。図１１の処理部２０−４は、受信機ＩＤ判別ステップＳ４０３の結果が当該受信機ＩＤが含まれる場合または当該受信機ＩＤである場合、制御情報記述子判別を行い（ステップＳ４０４）、制御情報記述子ヘッダが図２（１）の共通制御情報記述子ヘッダ２００である場合、受信した不正使用防止信号は共通制御情報記述子と判別し、その後、制御領域番号２１０を判別し（ステップＳ４０５）、あらかじめ定めたＥＰＧ非表示制御に用いる制御領域番号２１０であった場合、図２（１）の共通制御情報記述子を解析し、共通制御情報記述子に含まれるＮＷ識別１２０、制御論理ストリーム識別２３０を確認し、管理制御数１３０分のサービス識別１４０、表示制御情報２４０（共通制御情報）を図１１の保持部２０−６に保持し（ステップＳ４０６）、処理部２０−４は、保持したサービス識別１４０に対して、表示制御情報２４０（共通制御情報）に従ってＥＰＧの表示制御を行う（ステップＳ４０７）。
【００６５】
図６（１）の場合、ＮＷ識別１２０＝０ｘＦＦＦＥ（ＣＳ・自主放送）、制御論理ストリーム識別２３０＝０ｘ０２（サービスＩＤ単位）を確認し、サービス識別１４０−１、１４０−２、１４０−３・・・の値、２０１、２０２、２０３・・・、表示制御情報２４０（共通制御情報）＝１１１・・・を保持する。表示制御情報２４０（共通制御情報）＝１１１・・・は、サービスＩＤ＝２０１、２０２、２０３・・・の各デジタル放送受信機共通情報によるＥＰＧ非表示の可否が「表示」する旨（非表示としない）を表している。次に、１４０−１、１４０−２、１４０−３・・・の値に該当するサービスＩＤ＝２０１、２０２、２０３・・・のＥＰＧを表示する（非表示としない）。
【００６６】
図４のステップＳ４０５において、制御領域番号がＥＰＧ表示制御以外のその他の値である場合は、ＥＰＧ表示制御以外その他の不正使用防止制御を実施する（ステップＳ４０８）。
【００６７】
ステップＳ４０４において、制御情報記述子判別において、制御情報記述子ヘッダが図２（２）記載の個別制御情報記述子ヘッダ２５０である場合、受信した不正使用防止信号は個別制御情報記述子と判別し、その後、制御領域番号２１０を判別し（ステップＳ４０９）、あらかじめ定めたＥＰＧ非表示制御に用いる制御領域番号２１０であった場合、図２（２）の個別制御情報記述子を解析し、管理制御数１３０で指定された表示制御情報２６０（個別制御情報）を読み出し、図１１の保持部２０−６に保持する（ステップＳ４１０）。
【００６８】
図１１の処理部２０−４は、ステップＳ４０６で保持した対象サービス識別に対して、ステップＳ４１０で保持した表示制御情報（個別制御情報）を対応させ、表示制御情報（個別制御情報）に従ってＥＰＧの表示制御を行う（ステップＳ４１１）。
【００６９】
図６（２）の場合、表示制御情報２６０（個別制御情報）が「０００・・・」（０は非表示）であるため、図６（１）に記載されているサービス識別１４０−１、１４０−２、１４０−３・・・に記載されているサービスＩＤ＝２０１、２０２、２０３・・・の順に、ＥＰＧの表示制御を行い、ＥＰＧを「非表示」とする。なお、表示制御情報２６０（個別制御情報）が「１００・・・」であれば、サービスＩＤ＝２０１、２０２、２０３・・・の順に、「表示」、「非表示」、「非表示」・・・となる。
【００７０】
図４のステップＳ４０９において、制御領域番号がＥＰＧ表示制御以外のその他の値である場合、ＥＰＧ表示制御以外その他の不正使用防止制御を実施する（ステップＳ４１２）。
【００７１】
なお、共通制御情報記述子および個別制御情報記述子のデジタル放送受信機２０における処理において、制御情報記述子判別（ステップＳ４０４）に先立って受信機ＩＤ判別（ステップＳ４０３）を行うこととしたが、これに限定されず、またその他のステップにおいても本発明の趣旨を変更しない限りにおいて、適宜変更可能である。
【００７２】
次に、図１０のＣＡＴＶ放送システムの構成図、図１２の制御装置の構成図および図８の本発明の実施例２における制御装置が保持する不正使用防止信号の（１）共通制御情報記述子および（２）個別制御情報記述子作成のためのデータ構成図を用いて、ヘッドエンド装置で図２の共通制御情報記述子および個別制御情報記述子が送出されるしくみを説明する。
【００７３】
制御装置２のモニタ２−６から契約形態によってＥＰＧ表示を非表示とするサービスＩＤと共通制御情報記述子で送出するＥＰＧ表示設定の初期値（共通制御情報）を事前に登録する。登録するＥＰＧ非表示対象サービスＩＤとＥＰＧ表示設定の初期値は図１２の処理部２−３で処理され、保持部２−４に保持される。
【００７４】
次に、図１０の加入者管理装置７から各デジタル放送受信機２０について、契約形態に合わせて、ＥＰＧを非表示とするネットワークのサービスＩＤに対する表示可否の情報を制御装置２に送信する。図１２の制御装置２の処理部２−３は、送信されたＥＰＧを非表示とするネットワークのサービスＩＤと、各デジタル放送受信機の受信機ＩＤごとの表示可否の情報（個別制御情報）を保持部２−４に保持する。
【００７５】
図８（１）は、事前に登録されたＥＰＧ非表示サービスＩＤとＥＰＧ表示設定の初期値（共通制御情報）を表すデータベースの構成例である。Ｃ４１列にＥＰＧ非表示対象サービスＩＤ、Ｃ４２列にＥＰＧ表示設定の初期値（共通制御情報）が入力される。Ｒ４１行はＥＰＧ非表示対象サービスＩＤ＝２０１、ＥＰＧ表示設定の初期値＝１すなわち表示するが設定されている。Ｒ４２行、Ｒ４３行についても同様である。
【００７６】
図８（２）は、デジタル放送受信機の受信機ＩＤごとのＥＰＧ非表示対象サービスＩＤおよびＥＰＧ表示可否設定情報（個別制御情報）のデータベースの構成例である。Ｒ４４行は受信機ＩＤを示す。Ｃ４３列、Ｃ４４列は各受信機ＩＤのデータであり、Ｃ４３−１列、Ｃ４４−１列はＥＰＧ非表示対象サービスＩＤを示し、Ｃ４３−２列、Ｃ４４−２列はその受信機ＩＤについて、各行のＥＰＧ非表示対象サービスＩＤに対するＥＰＧ表示可否設定情報（個別制御情報）である。例えば、受信機ＩＤ＝００１１（Ｒ４４、Ｃ４３）では、ＥＰＧ非表示対象サービスＩＤ＝２０１（Ｒ４５、Ｃ４３−１）について、ＥＰＧ表示可否設定情報＝０すなわちＥＰＧ非表示である（Ｒ４５、Ｃ４３−２）。ＥＰＧ非表示対象サービスＩＤ＝２０２（Ｒ４６、Ｃ４３−１）、２０３（Ｒ４７、Ｃ４３−１）についても同様である。また、受信機ＩＤ＝００１２（Ｒ４４、Ｃ４４）についても同様である。
【００７７】
次に、図１２の制御装置２の処理部２−３は、図１０の不正使用防止装置９に対して、図１２の保持部２−４に保持した図８（１）の情報を元に、共通制御情報記述子として、不正使用防止信号を送出するように指示し、図８（２）の情報を元に、個別制御情報記述子として、不正使用防止信号を送出するように指示する。不正使用防止装置９は、指示された図８（１）および図８（２）の情報を元に、図２（１）および図２（２）に示した共通制御情報記述子および個別制御情報記述子を図１０のＢＳ−ＨＥ装置１０からＭＩＸ６を経由しＣＡＴＶ伝送路１２に送出する。送出される共通制御情報記述子および個別制御情報記述子のデータ構成は、先の例では図６（１）および（２）で示した構成である。
【実施例３】
【００７８】
図１３において、従来例で説明したように、ＣＳ・自主放送の視聴権の設定に使用される各サービスＩＤ  Ｃ１１列に対するティア情報Ｃ１２列と、受信機毎の視聴権の設定に使用される各受信機ＩＤ  Ｃ２１列に対する受信機ティア情報Ｃ２２列を元に、図１または図２の不正使用防止信号を作成する方法について説明する。
【００７９】
図９は、本発明の実施例３における制御装置が保持する不正使用防止信号作成のための別の構成によるデータ構成図である。
【００８０】
図１２の制御装置２の処理部２−３は、保持部２−４に保持する各サービスＩＤ  Ｃ１１列に対するティア情報Ｃ１２列（サービスＩＤ毎の視聴権情報）を拡張し、モニタ２−６から処理部２−３によって、保持部２−４に設定されるＥＰＧ非表示対象のサービスＩＤ（共通ＥＰＧ表示設定情報）を図９に示すようにＣ１３列に追加する。サービスＩＤ＝１０１（Ｒ１１、Ｃ１１）、１０２（Ｒ１２、Ｃ１１）、１０３（Ｒ１３、Ｃ１１）のＥＰＧ表示設定Ｃ１３列がそれぞれ「１」（Ｒ１１、Ｃ１３）、「１」（Ｒ１２、Ｃ１３）、「１」（Ｒ１３、Ｃ１３）、すなわちＥＰＧ表示が「表示対象（非表示対象外）」に設定され、サービスＩＤ＝２０１（Ｒ１４、Ｃ１１）、２０２（Ｒ１５、Ｃ１１）、２０３（Ｒ１６、Ｃ１１）のＥＰＧ表示設定Ｃ１３列がそれぞれ「０」（Ｒ１４、Ｃ１３）、「０」（Ｒ１５、Ｃ１３）、「０」（Ｒ１６、Ｃ１３）、すなわちＥＰＧ表示が「非表示対象」に設定されている。
【００８１】
Ｃ１４列、Ｃ１５列、Ｃ１６列は各受信機ＩＤに対する視聴権Ｃ１４−１列、Ｃ１５−１列、Ｃ１６−１列（受信機ＩＤ毎の視聴権情報）およびＥＰＧ表示可否Ｃ１４−２列、Ｃ１５−２列、Ｃ１６−２列（受信機ＩＤおよびサービスＩＤ毎の個別ＥＰＧ表示設定情報）を以下に説明する方法で設定する。
【００８２】
図１３（２）から、従来例で説明したように受信機ＩＤ＝００１１の受信機ティア情報＝１（Ｒ２１、Ｃ２２）であり、サービスＩＤ＝１０１に対するティア設定＝１、４（Ｒ１１、Ｃ１２）であり、サービスのティア設定＝１に相当する受信機ティア情報＝１を有しているため、図９において、視聴権＝１すなわち「有り」（Ｒ１１、Ｃ１４−１）（受信機ＩＤ毎の視聴権情報）を設定する。サービスＩＤ＝１０２、１０３についても同様である。また、サービスＩＤ＝２０１に対するティア設定＝２、４（Ｒ１４、Ｃ１２）であり、サービスのティア設定＝２、４に相当する受信機ティア情報を有していないため、視聴権＝０すなわち「無し」（Ｒ１４、Ｃ１４−１）（受信機ＩＤ毎の視聴権情報）を設定する。サービスＩＤ＝２０２、２０３についても同様である。
【００８３】
次に、図１２の処理部２−３は、設定された図９のＥＰＧ表示設定Ｃ１３列および各受信機ＩＤに対する視聴権Ｃ１４−１列、Ｃ１５−１列、Ｃ１６−１列から、各受信機ＩＤに対するＥＰＧ表示の可否を算出し設定する（受信機ＩＤおよびサービスＩＤ毎の個別ＥＰＧ表示設定情報）。
【００８４】
すなわち、図９の受信機ＩＤ＝００１１（Ｒ０１、Ｃ１４）のサービスＩＤ＝１０１、１０２、１０３については、ＥＰＧ表示設定Ｃ１３＝１すなわち「ＥＰＧ表示対象（非表示対象外）」であり（（Ｒ１１、Ｃ１３）、（Ｒ１２、Ｃ１３）、（Ｒ１３、Ｃ１３））、視聴権＝１すなわち「視聴権有り」であるので（（Ｒ１１、Ｃ１４−１）、（Ｒ１２、Ｃ１４−１）、（Ｒ１３、Ｃ１４−１））、その論理和からＥＰＧ表示の可否＝１すなわち「表示可」を設定する（（Ｒ１１、Ｃ１４−２）、（Ｒ１２、Ｃ１４−２）、（Ｒ１３、Ｃ１４−２））（受信機ＩＤおよびサービスＩＤ毎の個別ＥＰＧ表示設定情報）。受信機ＩＤ＝００１１のサービスＩＤ＝２０１、２０２、２０３については、ＥＰＧ表示設定Ｃ１３＝０すなわち「ＥＰＧ非表示対象」であり（（Ｒ１４、Ｃ１３）、（Ｒ１５、Ｃ１３）、（Ｒ１６、Ｃ１３））、視聴権＝０すなわち「視聴権無し」であるので（（Ｒ１４、Ｃ１４−１）、（Ｒ１５、Ｃ１４−１）、（Ｒ１６、Ｃ１４−１））、その論理和からＥＰＧ表示の可否＝０すなわち「表示不可」を設定する（（Ｒ１４、Ｃ１４−２）、（Ｒ１５、Ｃ１４−２）、（Ｒ１６、Ｃ１４−２））（受信機ＩＤおよびサービスＩＤ毎の個別ＥＰＧ表示設定情報）。
【００８５】
同様に、受信機ＩＤ＝００２１（Ｒ０１、Ｃ１５）のサービスＩＤ＝１０１、１０２、１０３については、ＥＰＧ表示設定Ｃ１３＝１すなわち「ＥＰＧ表示対象（非表示対象外）」であり（（Ｒ１１、Ｃ１３）、（Ｒ１２、Ｃ１３）、（Ｒ１３、Ｃ１３））、視聴権＝０すなわち「視聴権無し」であるので（（Ｒ１１、Ｃ１５−１）、（Ｒ１２、Ｃ１５−１）、（Ｒ１３、Ｃ１５−１））、その論理和からＥＰＧ表示の可否＝１すなわち「表示可」を設定する（（Ｒ１１、Ｃ１５−２）、（Ｒ１２、Ｃ１５−２）、（Ｒ１３、Ｃ１５−２））（受信機ＩＤおよびサービスＩＤ毎の個別ＥＰＧ表示設定情報）。受信機ＩＤ＝００２１のサービスＩＤ＝２０１、２０２、２０３については、ＥＰＧ表示設定Ｃ１３＝０すなわち「ＥＰＧ非表示対象」であり（（Ｒ１４、Ｃ１３）、（Ｒ１５、Ｃ１３）、（Ｒ１６、Ｃ１３））、視聴権＝１すなわち「視聴権有り」であるので（（Ｒ１４、Ｃ１５−１）、（Ｒ１５、Ｃ１５−１）、（Ｒ１６、Ｃ１５−１））、その論理和からＥＰＧ表示の可否＝１すなわち「表示可」を設定する（（Ｒ１４、Ｃ１５−２）、（Ｒ１５、Ｃ１５−２）、（Ｒ１６、Ｃ１５−２））（受信機ＩＤおよびサービスＩＤ毎の個別ＥＰＧ表示設定情報）。
【００８６】
図１２の制御装置２の処理部２−３は、保持部２−４に設定された図９の各受信機ＩＤに対して、各サービスのサービスＩＤとそのサービスＩＤのＥＰＧ表示可否情報を図１記載のＥＰＧ制御情報記述子として送出するよう指示する。具体的なデータは図５で示した内容と同じである。
【００８７】
また、制御装置２の処理部２−３は、保持部２−４に設定された図９の各サービスに対するＥＰＧ表示設定（Ｃ１３列）から図１０の不正使用防止装置９に対して、図２（１）に記載の共通制御情報記述子を送出するように指示し、図９の各受信機ＩＤに対して、各サービスのＥＰＧ表示可否情報(Ｃ１４−２列、Ｃ１５−２列、Ｃ１６−２列)を図２（２）に記載の個別制御情報記述子を送出するよう指示する。具体的なデータはそれぞれ図６（１）および（２）で示した内容と同じである。
【００８８】
なお、本実施例では、制御装置２と不正使用防止装置９を用いて、個々のデジタル放送受信機に対して任意の放送チャネルのＥＰＧ表示を非表示とするしくみを説明したが、これを一つの装置としてまとめて本発明の機能を実現しても良い。
【００８９】
本発明に係わるデジタル放送受信機およびヘッドエンド装置によれば、特定のチャンネルについては未契約でもＥＰＧ情報をあえて表示し加入者がその情報を見ることで視聴を希望し追加契約を行わせるという番組宣伝を行ったり、別の特定の（例えばアダルト）チャンネルについては未契約の場合は表示することが好ましくないため表示しないというような、細かな制御を行うことができる。
【００９０】
また、多い局では百数十サービスにもなるチャンネルについて、受信可能かどうかの確認をデジタル放送受信機で行う必要がなく受信確認を行うと受信処理に時間がかかるということがないため、ネットワーク切替え時でもＥＰＧ表示に時間がかかるということがなく使い勝手が悪くなるということがない。
【００９１】
また、視聴中にサービスの契約追加変更を行っても、放送受信機では該当チャンネルを受信せずに、追加変更したチャンネルのＥＰＧ表示を即時に更新することができる。
【産業上の利用可能性】
【００９２】
本発明のＥＰＧ制御情報受信機、ＥＰＧ制御情報送信機、ＥＰＧ表示制御方法およびＥＰＧ制御情報生成機は、受信確認を行うことなしにＥＰＧ表示・非表示の制御を細かに行うことができるので、ＥＰＧ表示制御技術として有用である。
【符号の説明】
【００９３】
１    番組サーバ
２    制御装置
３    ＥＰＧ生成装置
４−１    ＣＳ主放送受信装置
４−２    自主放送信号送出装置
５    ＭＵＸ／ＳＣＲ／ＱＡＭ装置
６    ＭＩＸ（混合器）
７    加入者管理装置
８    限定受信装置
９    不正使用防止装置
１０    ＢＳ−ＨＥ（ヘッドエンド）装置
１１    地上デジタルＨＥ装置
２０    デジタル放送受信機
２１    ＴＶモニタ
２２    リモコン
【図１】
2011228984.tif 000003
【図２】
2011228984.tif 000004
【図３】
2011228984.tif 000005
【図４】
2011228984.tif 000006
【図５】
2011228984.tif 000007
【図６】
2011228984.tif 000008
【図７】
2011228984.tif 000009
【図８】
2011228984.tif 000010
【図９】
2011228984.tif 000011
【図１０】
2011228984.tif 000012
【図１１】
2011228984.tif 000013
【図１２】
2011228984.tif 000014
【図１３】
2011228984.tif 000015